(57)【要約】【課題】スコアの破断や内容物の漏洩を防止でき、開缶性に優れ、内容物を迅速かつ円滑に注ぎ出すことができる缶蓋を提供する。【解決手段】缶蓋は缶蓋本体とタブとを備え、缶蓋本体には、開口部と、タブが取り付けられるリベットと、タブに向けて突出する凸部とが形成されており、開口部は、リベット周辺部から缶蓋本体の上面周縁部に張り出した第１開口部と、リベットを挟んで第１開口部と反対側の領域に張り出した第２開口部とを有し、缶蓋本体の上面の平面視において、リベットの中心を通り第１スコアのリベットから最も離れた位置を通る線をＹ軸とし、リベットの中心を通りＹ軸に直交する線をＸ軸としたときに、第２スコアの終端がＸ軸を挟んで第１スコアと反対側の領域まで延伸され、凸部が第１スコアと第２スコアとの接続端点に対してＹ軸を挟んで反対側の領域に形成され、凸部の頂部とタブの下面とが接触して設けられる。【選択図】      図１
2018065587.tif 000002
【特許請求の範囲】
【請求項１】
缶蓋本体と、該缶蓋本体に取り付けられるタブとを備え、
前記缶蓋本体には、スコアにより画成された開口部と、前記缶蓋本体の上面中央部に突出して前記タブが取り付けられるリベットと、前記タブの下面側で該タブに向けて突出する凸部とが形成されており、
前記開口部は、
第１スコアにより画成され、前記リベット周辺部から前記缶蓋本体の上面周縁部に張り出した第１開口部と、
前記第１スコアに連続して形成された第２スコアにより画成され、前記リベットを挟んで前記第１開口部と反対側の領域に張り出した第２開口部とを有し、
前記缶蓋本体の上面の平面視において、
前記リベットの中心を通り前記第１スコアの前記リベットから最も離れた位置を通る線をＹ軸とし、前記リベットの中心を通り前記Ｙ軸に直交する線をＸ軸としたときに、
前記第２スコアの終端が、前記Ｘ軸を挟んで前記第１スコアと反対側の領域まで延伸され、
前記凸部が、前記第１スコアと前記第２スコアとの接続端点に対して前記Ｙ軸を挟んで反対側の領域に形成され、
前記凸部の頂部と前記タブの下面とが接触して設けられていることを特徴とする缶蓋。
【請求項２】
前記タブは、タブ本体の前記第１開口部上に重ねて配置される一端部と前記Ｘ軸を挟んだ反対側に配置される他端部に、厚み方向に開口したフィンガーホール部が形成されており、
前記タブ本体を画成する外周縁が下方に折り曲げられるとともに内周側に折り曲げられてなる外周カール部が形成され、
前記フィンガーホール部を画成する内周縁が下方に折り曲げられるとともに外周側に折り曲げられてなる内周カール部が形成されており、
前記凸部は、前記タブを前記リベット回りに回動させたときに、前記外周カール部又は前記内周カール部に引っかかる位置に形成されていること特徴とする請求項１に記載の缶蓋。
【請求項３】
前記タブは、タブ本体の前記第１開口部上に重ねて配置される一端部と前記Ｘ軸を挟んだ反対側に配置される他端部に、下方に向けて突出するタブパネル部が形成されており、
前記タブ本体を画成する外周縁が下方に折り曲げられるとともに内周側に折り曲げられてなる外周カール部が形成されており、
前記凸部は、前記タブを前記リベット回りに回動させたときに、前記外周カール部又は前記タブパネル部に引っかかる位置に形成されていることを特徴とする請求項１に記載の缶蓋。
【発明の詳細な説明】
【技術分野】
【０００１】
本発明は、缶体の開口端部に巻き締められる缶蓋に関する。
【背景技術】
【０００２】
飲料用の缶蓋として、特許文献１及び特許文献２に示されるように、タブを缶蓋本体に取り付けたままの状態で飲み口を開口可能なステイオンタブ方式のものが知られている。このタブを備えた缶蓋は、タブがリベットによって取り付けられており、タブの引き上げ部を引き上げることにより、リベット近傍が支点となり、タブノーズ部（タブの先端）が作用点となって、パネル表面のスコアに囲まれた開口部（開口片）を押圧、没入してスコアを破断させ、開口部を開口させるようになっている。この際、スコアの始端部と終端部とが離間して設けられていることから、開口部は缶蓋と離れることなく缶内部に押し入れられて開缶する。
【０００３】
ところで、この種の缶蓋においては、従来から内容物の良好な注ぎ性を得るために、例えば特許文献１又は特許文献２に記載されているように、開口部の開口面積を大きくすることが行われている。
特許文献１には、缶蓋本体の上面に、主スコア（第１スコア）により画成された主開口部（第１開口部）と、リベットを挟んで主開口部と反対側の領域に張り出して副スコア（第２スコア）により画成された通気開口部（第２開口部）とが形成された缶蓋が記載されている。また、この特許文献１には、缶蓋の主開口部と通気開口部とは屈曲部を介して連結されており、タブの他端部を引き上げ、主スコアを破断させて開口部を開口したときに、屈曲部に応力を集中させ、この屈曲部を破断させることにより、屈曲部を副スコアが破断させる起点として通気開口部を確実に開口させ、良好な注ぎ性を得ることが記載されている。
【０００４】
また、特許文献２に記載の缶蓋は、缶蓋本体に形成される開口部が、第１のスコアと第３のスコアとにより画成されてタブの一端部側が重なる主開口部（第１開口部）と、第２のスコアと第３のスコアとにより画成されてリベットを挟んで主開口部と反対側の領域に形成される副開口部（第２開口部）とを備えており、第１のスコアと第２のスコアとが第３のスコアにより接続され、主開口部と副開口部とがリベットを挟んだ反対側の領域に形成されている。そして、特許文献２には、スコアを全長にわたって破断させて開口部を開口させることで、缶蓋に主開口部と副開口部とからなる大きな開口部が形成され、副開口部から缶内に流入自在とされる空気により、内容物が主開口部から効率的に排出されることが記載されている。
【先行技術文献】
【特許文献】
【０００５】
【特許文献１】特開２００７‐２２５４１号公報
【特許文献２】特開２００８‐１６８９２３号公報
【発明の概要】
【発明が解決しようとする課題】
【０００６】
特許文献１又は特許文献２に記載されるように、内容物を外部に注出する第１開口部とともに第２開口部を設けることにより、第１開口部の開口からの内容物の注出の際に第２開口部の開口から安定して空気を流入できるので、第１開口部において注出しようとする内容物と流入しようとする空気とがせめぎ合って脈動が生じることを防止でき、第１開口部から円滑に内容物を注出できる。また、第１開口部を画成する第１スコアに第２開口部を画成する第２スコアが連続して形成されていることから、開缶作業時は、一つのタブの操作により第１開口部と第２開口部とを開口させることができる。
【０００７】
ところで、特許文献１及び特許文献２に記載の缶蓋のように、リベットを挟んで第１開口部と反対側の領域に張り出した第２開口部を有する開口部を設けた場合には、第２スコアが第１開口部の反対側に形成された指かけ凹部側まで延伸して形成されることから、スコアとタブとが重なる範囲が大きくなり、第１スコア（スコアの始端部側）だけではなく、第２スコア（スコアの終端部側）においてもタブが重なって配置される。このため、飲料缶の輸送時等の上下振動等に伴ってタブが振動すると、その重なった部分でタブがスコアと接触しやすくなり、スコアの破断（スコア切れ）が生じた場合には、内容物の漏洩が生じるおそれがある。
【０００８】
本発明は、このような事情に鑑みてなされたもので、スコアの破断や内容物の漏洩を防止でき、内容物を迅速かつ円滑に注ぎ出すことができる良好な注ぎ性を有する缶蓋を提供することを目的とする。
【課題を解決するための手段】
【０００９】
本発明の缶蓋は、缶蓋本体と、該缶蓋本体に取り付けられるタブとを備え、前記缶蓋本体には、スコアにより画成された開口部と、前記缶蓋本体の上面中央部に突出して前記タブが取り付けられるリベットと、前記タブの下面側で該タブに向けて突出する凸部とが形成されており、前記開口部は、第１スコアにより画成され、前記リベット周辺部から前記缶蓋本体の上面周縁部に張り出した第１開口部と、前記第１スコアに連続して形成された第２スコアにより画成され、前記リベットを挟んで前記第１開口部と反対側の領域に張り出した第２開口部とを有し、前記缶蓋本体の上面の平面視において、前記リベットの中心を通り前記第１スコアの前記リベットから最も離れた位置を通る線をＹ軸とし、前記リベットの中心を通り前記Ｙ軸に直交する線をＸ軸としたときに、前記第２スコアの終端が、前記Ｘ軸を挟んで前記第１スコアと反対側の領域まで延伸され、前記凸部が、前記第１スコアと前記第２スコアとの接続端点に対して前記Ｙ軸を挟んで反対側の領域に形成され、前記凸部の頂部と前記タブの下面とが接触して設けられている。
【００１０】
この缶蓋には、凸部の頂部をタブの下面と接触して設けているので、飲料缶の輸送時等の上下振動等に伴ってタブが振動することを抑制でき、タブの振動に起因するスコアの破断や内容物の漏洩が生じることを防止できる。
また、凸部とタブとを接触させることで、その接触部分においてタブが若干押し上げられることにより、その分だけ凸部と反対側（リベットを挟んで凸部と反対側）のタブの先端部側が押し下げられた状態となるが、この缶蓋では、凸部を、第１スコアと第２スコアとの接続端点に対してＹ軸を挟んで反対側の領域に形成していることから、凸部とタブとの接触により押し下げられるタブの先端部側は、リベットを挟んで凸部と反対側の範囲であり、スコアが形成されていない部分（スコアとタブとの重なりがない部分）であるので、スコアとタブとが接触することがない。このように、凸部を介してタブに振動が伝わることによりタブが振動した場合でも、タブがスコアとの重なりがない部分で接触するのみであるから、タブとスコアとの接触を防止でき、スコアの破断等を防止できる。
さらに、このようにタブと凸部とが接触した状態で維持されることから、タブにリベットを中心とする時計回り又は反時計回りの力が作用したときにも、タブと凸部との間の摩擦により、タブがリベット回りに回動することを抑制でき、タブの先端を開口部に重ねて配置した状態を維持できる。したがって、タブの先端（一端部、タブノーズ部）を第１開口部上に維持でき、タブの先端で第１開口部を確実に押圧でき、優れた開栓性を維持できる。  また、この缶蓋では、第１スコアと第２スコアとの接続端点に対してＹ軸を挟んで反対側の領域に凸部を形成し、スコアから離れた位置に凸部を配置しているので、スコアを自由度の高い形状に形成できる。
【００１１】
本発明の缶蓋において、前記タブは、タブ本体の前記第１開口部上に重ねて配置される一端部と前記Ｘ軸を挟んだ反対側に配置される他端部に、厚み方向に開口したフィンガーホール部が形成されており、前記タブ本体を画成する外周縁が下方に折り曲げられるとともに内周側に折り曲げられてなる外周カール部が形成され、前記フィンガーホール部を画成する内周縁が下方に折り曲げられるとともに外周側に折り曲げられてなる内周カール部が形成されており、前記凸部は、前記タブを前記リベット回りに回動させたときに、前記外周カール部又は前記内周カール部に引っかかる位置に形成されている。
【００１２】
この場合、缶蓋のタブにフィンガーホール部を形成しており、凸部は、タブをリベット回りに回動させたときに、タブの下面側に突出する外周カール部と内周カール部とに引っかかる位置、すなわち、外周カール部と内周カール部との間に形成されている。このため、タブにリベットを中心とする時計回り又は反時計回りの力が作用したときにも、凸部が外周カール部又は内周カール部に引っかかることで、タブが外周カール部又は内周カール部を乗り越えて回動することを防止でき、タブの先端を開口部に重ねて配置した状態を維持できる。
【００１３】
本発明の缶蓋において、前記タブは、タブ本体の前記第１開口部上に重ねて配置される一端部と前記Ｘ軸を挟んだ反対側に配置される他端部に、下方に向けて突出するタブパネル部が形成されており、前記タブ本体を画成する外周縁が下方に折り曲げられるとともに内周側に折り曲げられてなる外周カール部が形成されており、前記凸部は、前記タブを前記リベット回りに回動させたときに、前記外周カール部又は前記タブパネル部に引っかかる位置に形成されている。
【００１４】
この場合、缶蓋のタブにフィンガーホール部を設けることなく、タブパネル部を形成しているが、凸部は、タブをリベット回りに回動させたときに、タブの下面側に突出する外周カール部とタブパネル部とに引っかかる位置、すなわち、外周カール部とタブパネルとの間に形成されている。このため、タブにリベットを中心とする時計回り又は反時計回りのが作用したときにも、凸部が外周カール部又はタブパネル部に引っかかることで、タブが外周カール部又はタブパネル部を乗り越えて回動することを防止でき、タブの先端を開口部に重ねて配置した状態を維持できる。
【発明の効果】
【００１５】
本発明によれば、第１開口部と第２開口部とを備える開口部を有する缶蓋においても、タブの振動やリベット回りの回動を防止できるので、スコアの破断や内容物の漏洩の発生を防止でき、開口部を円滑に開口させて良好な開缶性を維持でき、内容物を迅速かつ円滑に注ぎ出すことができる。
【図面の簡単な説明】
【００１６】
【図１】本発明の第１実施形態の缶蓋の平面図である。
【図２】図１に示す缶蓋のＹ軸線上の断面図である。
【図３】図１に示す缶蓋のスコア部分の要部平面図である。
【図４】図３に示すＧ‐Ｇ線に沿う矢視断面における缶蓋の断面図である。
【図５】図１に示す缶蓋において、タブをリベット回りに回動させた状態を説明する要部平面図である。
【図６】開口部の開口方法を説明する缶蓋の平面図であり、（ａ）が第１開口部を開口した状態、（ｂ）が第２開口部を開口した状態、（ｃ）が開口部の開口後にタブを元の位置に戻した状態を示す。
【図７】本発明の第２実施形態の缶蓋の平面図である。
【図８】図７に示す缶蓋のスコア部分の要部平面図である。
【図９】本発明の第２実施形態の缶蓋のスコア部分の要部平面図であり、タブをリベット回りに回動させた状態を説明するものである。
【図１０】図９に示すＪ‐Ｊ線に沿う矢視断面における缶蓋の断面図である。
【発明を実施するための形態】
【００１７】
以下、本発明に係る缶蓋の実施形態を、図面を参照しながら説明する。
第１実施形態の缶蓋１０１は、例えば、飲料用等の缶に用いられる、いわゆるステイオンタブ方式の缶蓋であり、図１に示すように、缶蓋本体１Ａと、この缶蓋本体１Ａに取り付けられたタブ２Ａとにより構成される。これらの缶蓋本体１Ａ及びタブ２Ａは、それぞれアルミニウム合金により形成されている。
【００１８】
缶蓋本体１Ａは、図１に示すように、略円板状のパネル部１０と、このパネル部１０の外周部に沿って下方に凸となるように設けられた環状のカウンターシンク部１１とを備えている。パネル部１０の上面には、凹状に形成されたパネルデボス１２が設けられており、このパネルデボス１２の底面であって、パネル部１０（缶蓋本体１Ａ）の中央部に、突出して形成されたリベット１３が形成され、このリベット１３にタブ２Ａが取り付けられている。また、パネルデボス１２の底面には、スコア３により画成された開口部６が形成され、この開口部６とは反対側（図１では上側）に指かけ凹部１４が設けられ、これらリベット１３と指かけ凹部１４との間には、タブ２Ａの下面側でタブ２Ａに向けて突出する凸部１５が設けられている。
【００１９】
リベット１３は、パネル部１０の上面をリング状に圧印するコイニング加工を施して、パネル部１０の中心部を上方に張り出させることによりパネル部１０と一体に形成されている。
また、指かけ凹部１４は、タブ２Ａの後端部（引き上げ部２２）に沿うようにして、その下方近傍に、パネルデボス１２の底面の一部をさらに深く凹状にして形成されている。開封者は、指かけ凹部１４から指をタブ２Ａの後端部の下側に入れることができ、これにより後端部に指をかけて容易に引き上げることができる。
【００２０】
スコア３は開口部６を画成しており、タブ２Ａにより開口部６を押圧してスコア３を破断させることで、開口部６を缶内部に押し込み、飲み口を開口する構成とされる。なお、スコア３の内側には、スコア３に隣接して平行に形成された補助スコア７が形成されており、スコア３の始端部３１及び終端部３９で、スコア３と補助スコア７とが接続されている。補助スコア７は、スコア３よりも浅く形成されており、タブ２Ａの押圧によっては破断されない構成となっている。
【００２１】
そして、スコア３は、図３に示すように、第１スコア４と、この第１スコア４に連続して形成された第２スコア５Ａとを有する構成とされ、開口部６は、第１スコア４により画成される第１開口部６１と、第２スコア５Ａにより画成される第２開口部６２とから構成されている。このうち第１開口部６１は、リベット１３周辺部から缶蓋本体１Ａの上面周縁部に張り出して形成され、第２開口部６２は、リベット１３を挟んで第１開口部６１と反対側の領域に張り出して形成される。
【００２２】
第１スコア４は、図３に示すように、補助スコア７の始端部と接続される始端部３１と、リベット１３をほぼ半分囲む円弧状の凹円弧部３２と、缶蓋本体１Ａの径方向外方へ凸とされた円弧形状の中間部３３と、第２スコア５Ａと接続される接続部３４とで構成され、始端部３１と接続部３４との間に破線で示したように第１ヒンジ部Ｃ１を一部残して形成され、図３の下側部分のハッチングで示したように、第１開口部６１を画成している。
なお、凹円弧部３２は、リベット１３周囲のコイニングにより押しつぶされたリング状印圧部分に形成され、タブ２Ａにより開口部６を押圧した際の初期破断部となる。
【００２３】
第１スコア４の接続部３４は、図１及び図３に示すように、缶蓋本体１Ａの上面の平面視において、リベット１３の中心Ｏ１を通り第１スコア４のリベット１３から最も離れた位置（缶蓋本体１Ａの最外周位置の点Ｐ１）を通る線をＹ軸とし、リベット１３の中心Ｏ１を通り第１スコア４のＹ軸に直交する線をＸ軸としたときに、Ｘ軸とスコア３とが交差する点Ｑ１を含む位置に形成されている。接続部３４は、中間部３３よりも浅く形成されており、タブ２Ａの後端部を引き起こす第１操作により第１スコア４を破断させて第１開口部６１を開口する際に、接続部３４において破断の進行にブレーキがかけられることで、破断が停止されるようになっている。そして、第１ヒンジ部Ｃ１は、第１操作による第１開口部６１の開口時に折り曲げられる部分であり、図３に示すように、始端部３１の破断到達点と接続部３４の破断到達点とを結ぶようにして形成される。このため、第１ヒンジ部Ｃ１の位置は、始端部３１と接続部３４とがどこまで破断されるかによってわずかに変動する。
【００２４】
そして、第１開口部６１は、Ｙ軸上の開口長さをＨ（Ｙ軸と第１スコア４との交点Ｐ１，Ｐ２間の距離）とし、Ｘ軸に平行な最大幅をＷとした場合に、最大幅Ｗと開口長さＨとの比率（Ｗ／Ｈ）が０．７以上１．４以下となる大きさに形成されている。このように、第１開口部６１は、最大幅Ｗが開口長さＨと同じ程度に形成され、比較的幅狭の形状に形成されているので、第１開口部６１の開口から注出される内容物の流れの幅を細く整えることができる。この場合において、最大幅Ｗと開口長さＨとの比率（Ｗ／Ｈ）は、１．２以下に設けることが望ましい。第１開口部６１を、比率（Ｗ／Ｈ）が０．７以上１．２以下となる大きさに制限することで、より安定した注ぎ性が得られる。
なお、比率（Ｗ／Ｈ）が１．４を超えると、第１開口部６１の開口が幅広となるので、多量の内容物が幅広の第１開口部６１から勢いよく注出されることにより、容器から内容物の一部が外れて内容物をこぼす可能性がある。また、第１開口部６１の開口から内容物を直接飲用する際に、内容物の一部が口元から外れてこぼれる可能性もある。一方、比率（Ｗ／Ｈ）が０．７未満となると、第１開口部６１の開口面積が小さくなり、第１開口部６１の開口からの内容物の注出量を十分に確保することが難しくなる。
【００２５】
第２スコア５Ａは、図３に示すように、第１スコア４の接続部３４からリベット１３の反対側の領域に延伸する延伸部３８と、補助スコア７の終端部と接続される終端部３９とで構成され、図１に示すように、缶蓋本体１Ａ（パネル部１０）の上面の平面視において、第２スコア５Ａ（スコア３）の終端が、Ｘ軸を挟んで第１スコア４と反対側の領域まで延伸されている。そして、第２スコア５Ａは、リベット１３の中心Ｏ１とスコア３の終端部（第２スコア５Ａの終端部３９）との間に破線で示したように第２ヒンジ部Ｃ２を一部残して形成され、図３の上側部分のハッチングで示したように、第１開口部６１に連続した第２開口部６２を画成している。第２ヒンジ部Ｃ２は、タブ２Ａを回動させる第２操作による第２開口部６２の開口時に折り曲げられる部分であり、図３に示すように、終端部３９の破断到達点とリベット１３の中心Ｏ１とを結ぶようにして形成される。このため、第２ヒンジ部Ｃ２の位置は、終端部３９がどこまで切断されるかによってわずかに変動する。
【００２６】
このように、缶蓋本体１Ａの上面には、第１スコア４と第２スコア５Ａとにより画成された開口部６（第１開口部６１及び第２開口部６２）が、第２ヒンジ部Ｃ２により接続されており、第１操作の後にタブ２Ａをリベット１３周りに回動させる第２操作によって第１スコア４に連続して第２スコア５Ａを破断させたときには、第２開口部６１とともに第１開口部６１が缶内部に押し込まれることで、缶蓋本体１Ａには、第１開口部６１と第２開口部６２とからなる開口部６が開口し、開口面積の大きな開口が形成されるようになっている。
【００２７】
第１スコア４の接続部３４と第２スコア５Ａの延伸部３８とは、直線又は曲率半径の大きな湾曲線で形成されており、第１スコア４の接続部３４と第２スコア５Ａの延伸部３８とは、互いが接続される端点において接線を共有して緩やかに接続されている。また、リベット１３の中心Ｏ１からタブ２Ａの幅方向（Ｘ軸方向）の側端部（点Ｕ１）までの距離をＡとし、Ｘ軸上のリベット１３の中心Ｏ１からスコア３（この場合、第１スコア４の接続部３４）までの距離をＢとした場合に、距離Ａが距離Ｂよりも小さく形成され、スコア３がタブ２Ａの幅方向の側端部（点Ｕ１）よりもリベット１３の中心Ｏ１から離れて配置されている。
【００２８】
この場合において、距離Ｂと距離Ａとの差分（Ｂ−Ａ）は、０．３ｍｍ以上３．０ｍｍ以下に形成されているとよい。差分（Ｂ−Ａ）が大きくなるほど、スコア３とタブ２Ａとが離れて配置されることになるので、差分（Ｂ−Ａ）を０．３ｍｍ以上とすることで、タブ２Ａとスコア端面との接触を確実に回避でき、円滑に第２開口部６２を開口できる。また、差分（Ｂ−Ａ）を３．０ｍｍ以下とすることで、スコア３の位置を、タブ２Ａと開口部６（第１開口部６１及び第２開口部６２）とが接触する作用点から近い位置に配置できるので、開缶作業時に必要なスコア３（第２スコア５Ａ）の破断力を比較的小さくでき、良好な開口性を確保できる。なお、差分（Ｂ−Ａ）を３．０ｍｍを超える大きさとした場合、スコア３の位置がタブ２Ａと開口部６とが接触する作用点から遠くなるため、開缶作業時に大きな破断力が必要となり、開口性が悪くなる。
【００２９】
ここで、第１スコア４の残厚部と第２スコア５Ａの残厚部との関係について説明する。図３に示すように、缶蓋本体１Ａの平面視において、Ｙ軸と第１スコア４（第１開口部６１）とが交わる２つの交点Ｐ１，Ｐ２の中間位置Ｏ２を基準として、第１スコア４の先端の交点Ｐ２と相対する方向を０時（交点Ｐ１の方向）とすると、接続部３４は約１０時半の位置に形成されている。そして、第１スコア４の残厚部の厚みは、中間部３３の３時〜１０時の位置で０．８５ｍｍ〜０．１００ｍｍとされ、接続部３４で０．１１５ｍｍ〜０．１２５ｍｍとされ、中間部３３の３時〜１０時の部分よりも、接続部３４の部分が、残厚部の厚みが大きくなるように設定されている。また、タブ２Ａの先端部側において第１スコア４とが重なる位置（交点Ｑ２）の残厚部の厚みは、その前後の残厚部の厚みよりも大きくなるように設定されている。
【００３０】
また、第２スコア５Ａの残厚部の厚みは、延伸部３８が０．１００ｍｍ〜０．１１０ｍｍとなるように設定されており、第２スコア５Ａの延伸部３８及び終端部３９の残厚部の厚みは、第１スコア４の接続部３４よりも小さく形成されるが、中間部３３の３時〜１０時までの間よりも大きく形成されている。このため、第２スコア５Ａにより、缶蓋１０１の耐圧強度が著しく低下することが回避されている。
【００３１】
また、開口部６上には、補強のためにスコア３及び補助スコア７に沿うようにして上面から突出したインナービード４１〜４３が形成されている。インナービード４１〜４３は、第１ヒンジ部Ｃ１及び第２ヒンジ部Ｃ２を除く部分に形成することが好適である。第１開口部６１上に形成されたインナービード４１は、第１開口部６１の中心付近（点Ｏ２付近）を囲むようにして、第１スコア４の中間部３３に沿った、また缶蓋本体１Ａの径方向外方に沿った凸形状とされている。また、インナービード４１と同じく第１開口部６１上に形成されたインナービード４２は、第１スコア４の接続部３４に沿って形成されている。さらに、第２開口部６２上に形成されたインナービード４３は、第２スコア５Ａの延伸部３８に沿って形成されており、第１ヒンジ部Ｃ１が、第１開口部６１上のインナービード４２と第２開口部６２上のインナービード４３との間に設けられている。
【００３２】
また、凸部１５は、第１スコア４と第２スコア５Ａとの接続端点（第１スコア４の接続部３４と第２スコア５Ａの延伸部３８とが接続される端点）に対してＹ軸（リベット１３）を挟んで反対側の領域に形成され、図３では、リベット１３（Ｙ軸）を挟んで第２開口部６２と反対側の領域に形成されている。また、凸部１５は、図４に示すように、パネルデボス１２の底面に突出するとともに、タブ２Ａの下面側でタブ２Ａに向けて突出して設けられており、図１及び図３に示すようにタブ２Ａを引き上げる前の状態では、図４に示すように凸部１５の頂部とタブ２Ａの下面（タブ本体２０の平坦な下面）とが接触して設けられる。さらに、凸部１５は、タブ２Ａの下面側において、後述するタブ２Ａの外周カール部２０ａと内周カール部２５ａとの間に形成されている。
【００３３】
そして、タブ２Ａは、前述したようにリベット１３に取り付けられており、タブ本体２０の一端部に、タブ２Ａの長手方向を缶蓋本体１ＡのＹ軸と平行に配置したときに第１開口部６１上に重ねて配置される押圧部２１が形成され、リベット１３（Ｘ軸）を挟んだ反対側に配置される他端部に、引き上げ部２２が形成されている。
図１及び図３に示すように、押圧部２１は円弧状に形成されており、この押圧部２１と引き上げ部２２との間に、Ｕ字状のスロット２３によりタング部２４が形成され、タング部２４にリベット孔（図示略）が形成されている。そして、リベット孔にリベット１３が挿入され、タング部２４の下面をパネルデボス１２（缶蓋本体１Ａ）の上面に当接させた状態で、タブ２Ａが缶蓋本体１Ａに取り付けられている。また、タブ２Ａの引き上げ部２２には、タブ２Ａの厚み方向に開口したフィンガーホール部２５が形成されている。
【００３４】
そして、タブ２Ａには、図３及び図４に示すように、タブ本体２０を画成する外周縁が下方に（パネルデボス１２に向けて）折り曲げられるとともに、内周側に折り曲げられてなる外周カール部２０ａが形成されている。また、タブ２Ａには、フィンガーホール部２５を画成する内周縁が下方に折り曲げられてなる内周カール部２５ａが形成されている。そして、前述した凸部１５は、タブ２Ａの下面側であって、タブ２Ａをリベット１３回りに回動させたときに、外周カール部２０ａ又は内周カール部２５ａに引っかかる位置、つまり、図４に示すように、上方に向けて突出する凸部１５が下方に向けて突出する外周カール部２０ａと内周カール部２５ａとの間に入り込んで形成されており、これら外周カール部２０ａと内周カール部２５ａとの間に形成されたタブ本体２０の平坦な下面に、凸部１５の頂部が接触した状態で配置されている。
【００３５】
このように構成される缶蓋１０１においては、タブ２Ａの下面と接触する凸部１５が設けられていることから、飲料缶の輸送時等の上下振動に伴ってタブ２Ａが振動することを抑制でき、タブ２Ａの振動に起因するスコア３の破断や内容物の漏洩が生じることを防止できる。
【００３６】
また、凸部１５とタブ２Ａとが接触して設けられることで、その接触部分においてタブ２Ａが若干押し上げられることにより、その分だけ凸部１５と反対側（リベット１３を挟んで凸部１５と反対側）のタブ２Ａの先端部（押圧部２１）側が押し下げられた状態となるが、この缶蓋１０１では、凸部１５を、第１スコア４と第２スコア５Ａとの接続端点に対してＹ軸を挟んで反対側の領域に形成していることから、凸部１５とタブ２Ａとの接触により押し下げられるタブ２Ａの先端部側は、リベット１３を挟んで凸部１５と反対側の範囲（点Ｑ３付近）であり、スコア３が形成されていない部分（スコア３とタブ２Ａとの重なりがない部分）となる。このため、タブ２Ａを凸部１５に接触させた状態においては、スコア３とタブ２Ａとが接触することがない。したがって、凸部１５を介してタブ２Ａに振動が伝わることによりタブ２Ａが振動した場合でも、タブ２Ａがスコア３との重なりがない部分で接触するのみであるから、タブ２Ａとスコア３との接触を防止でき、スコア３の破断等を防止できる。
【００３７】
また、このようにタブ２Ａと凸部１５とが接触した状態で維持されることから、タブ２Ａにリベット１３を中心とする時計回り又は反時計回りの力が作用したときにも、タブ２Ａと凸部１５との間の摩擦により、タブ２Ａがリベット１３回りに回動することを抑制できる。また、凸部１５は、タブ２Ａをリベット１３回りに回動させたときに、タブ２Ａの下面側に突出する外周カール部２０ａと内周カール部２５ａとに引っかかる位置、つまり、外周カール部２０ａと内周カール部２５ａとの間に形成されている。このため、例えば図５に示すように、タブ２Ａがリベット１３回りに回動したときに、凸部１５が外周カール部２０ａ又は内周カール部２５ａ（図５に示す例では、外周カール部２０ａ）に接触して引っかかることで、タブ２Ａが外周カール部２０ａ又は内周カール部２５ａを乗り越えて回動することを防止できる。したがって、タブ２Ａの先端（押圧部２１）を第１開口部６１上に重ねて配置した状態を維持できるので、タブ２Ａの引き上げ部２２を引き上げた際に押圧部２１で第１開口部６１を確実に押圧でき、開口部６を円滑に開口させることができる。
【００３８】
また、この缶蓋１０１では、第１スコア４と第２スコア５Ａとの接続端点に対してＹ軸を挟んで反対側の領域に凸部１５を形成し、スコア３から離れた位置に凸部１５を配置しているので、スコア３を自由度の高い形状に形成できる。
【００３９】
なお、このように構成される缶蓋１０１において、開口部６を開口する方法についても説明しておく。
（第１操作）
まず、タブ２Ａの押圧部２１を第１開口部６１に重ねた状態（図１の状態）で、タブ２Ａの引き上げ部２２を引き上げる第１操作を行う。タブ２Ａの引き上げ部２２が引き上げられると、タブ２Ａの押圧部２１が第１開口部６１の上面に当接し、押圧部２１が支点となってリベット１３が上方に持ち上げられる。このとき、第１スコア４の凹円弧部３２の第１開口部６１側の部分はタブ２Ａにより押さえられた状態であり、凹円弧部３２のリベット１３側の部分が上方に持ち上げられることで、凹円弧部３２にせん断力が作用して破断する（ポップ動作）。なお、第１開口部６１はインナービード４１により補強されており、変形が抑制されていることから、凹円弧部３２に確実にせん断力を作用させることができ、円滑に破断させることができる。
【００４０】
そして、さらにタブ２Ａの引き上げ部２２を持ち上げていくと、リベット１３が支点、タブ２Ａの押圧部２１が作用点となり、第１スコア４に囲まれた第１開口部６１がタブ２Ａにより缶内部に押し込まれながら第１スコア４が順次破断して、第１開口部６１を周回するように開口する（ティア動作）。このとき、第２スコア５Ａは第１スコア４に連続して形成されているが、第１スコア４の接続部３４の残厚部が中間部３３の残厚部の厚みよりも大きく形成されているので、接続部３４においてブレーキがかけられ、第１スコア４の破断進行が停止される。次いで、接続部３４の破断停止点に応力が集中し、接続部３４と始端部３１との連結部分の第１ヒンジ部Ｃ１が折り曲げられる。第１開口部６１上には接続部３４に沿ってインナービード４２が形成され、第２開口部６２上には延伸部３８に沿ってインナービード４３が形成されているが、これらのインナービード４２，４３は第１ヒンジ部Ｃ１を除いて形成されていることから、第１ヒンジ部Ｃ１を確実に折り曲げることができる。そして、第１開口部６１が缶内部に押し込まれることで、図６（ａ）に示すように、第１開口６１ｏが開口する。
【００４１】
（第２操作）
その後、図６（ａ）に矢印Ｔで示すように、タブ２Ａを起こした状態（缶蓋本体１Ａの上面に対して略垂直に立ち上げた状態）を維持したまま、リベット１３回りに第２スコア５Ａの延伸方向（時計回りＴ方向）に回動させてねじる第２操作を行うことにより、第２スコア５Ａとリベット１３との間の第２開口部６２をタブ２Ａの側端部により押圧する。このとき、リベット１３の中心Ｏ１からタブ２Ａの側端部（点Ｕ１）までの距離Ａが、リベット１３の中心Ｏ１からスコア３（ここでは、第１スコア４）の距離Ｂよりも小さく形成されているので、タブ２Ａを起こした状態で回転させても、破断されたスコア端面にタブ２Ａが接触することを回避できる。このタブ２Ａの回動に伴い、図６（ｂ）に示すように、第２開口部６１が缶内部に押し下げられるとともに、第２スコア５Ａが引き裂かれ、第２スコア５Ａの延伸部３８から終端部３９に向けて順次破断が進行し、第２ヒンジ部Ｃ２が折り曲げられる。そして、第２開口部６１が缶内部に押し込まれ、リベット１３を挟んで第１開口６１ｏと反対側の領域に第２開口６２ｏが開口する。
【００４２】
また、第２操作により、第２開口部６２に第１ヒンジ部Ｃ１を介して接続された第１開口部６１がさらに缶内部に押し込まれることで、第１開口部６１の第１開口６１ｏから外部に臨む部分の面積が小さくなる。このように、第１操作による第１スコア４の破断後に、第２操作により第２スコア５Ａを続けて破断させることで、Ｘ軸（リベット１３）を挟んだ第１開口部６１と反対側の領域に、第１開口部６１に続いて第２開口部６２が開口させられ、第１開口部６１の開口面積Ｓ１と第２開口部６２の開口面積Ｓ２とを有する開口６０ｏが形成される。
【００４３】
そして、第２スコア５Ａを破断させて開口部６を開口させた後、図６（ｃ）に示すように、タブ２Ａを元の位置に戻した状態を示す。
なお、第１スコア４を破断させて第１開口部６１（第１開口６１ｏ）を開口させた後、タブ２Ａを回動させることなく元の位置に倒して開栓前の状態に戻した場合には、第２開口部６２を開口させることなく、第１開口部６１のみを開口させた状態を維持できる。
【００４４】
次に、図７及び図８に示す本発明の第２実施形態について説明する。
第１実施形態の缶蓋１０１では、第２スコア５Ａを比較的短く形成し、終端部３９を延伸部３８に連続した直線又は緩やかな湾曲線で形成していたが、延伸部３８及び終端部３９の形状は、これに限定されない。例えば、図７及び図８に示す第２実施形態の缶蓋１０２（缶蓋本体１Ｂ）のように、第２スコア５Ｂの全長を長く形成する場合には、第２スコア５Ｂの終端部３９を湾曲させ、タブ２Ａの背面領域の範囲内において形成するとよい。具体的には、終端部３９を、パネル部１０のリベット１３と指かけ凹部１４との間の領域に形成し、可能な限りリベット１３に近づけて形成するとよい。
なお、タブ２Ａは、第１実施形態と同じものであり、図７及び図８において、第１実施形態と共通する要素には同一符号を付して説明を省略する。
【００４５】
この第２実施形態の缶蓋１０２においても第１実施形態の缶蓋１０１と同様に、タブ２Ａの下面側でタブ２Ａに向けて突出する凸部１５が、第１スコア４と第２スコア５Ｂとの接続端点（第１スコア４の接続部３４と第２スコア５Ｂの延伸部３８とが接続される端点）に対してＹ軸（リベット１３）を挟んで反対側の領域に形成されており、凸部１５の頂部とタブ２Ａの下面とが接触して設けられている。また、凸部１５は、タブ２Ａの下面側において、タブ２Ａの外周カール部２０ａと内周カール部２５ａとの間に形成されている。
【００４６】
したがって、凸部１５がタブ２Ａに接触した状態で維持されることから、飲料缶の輸送時等の上下振動等に伴ってタブ２Ａが振動することを抑制でき、タブ２Ａの振動に起因するスコア３の破断や内容物の漏洩が生じることを防止できる。
また、凸部１５を、第１スコア４と第２スコア５Ｂとの接続端点に対してＹ軸を挟んで反対側の領域に形成していることから、凸部１５とタブ２Ａとの接触により押し下げられるタブ２Ａの先端部側は、リベット１３を挟んで凸部１５と反対側の範囲（点Ｑ３付近）であり、スコア３とタブ２Ａとが接触することがない。したがって、凸部１５を介してタブ２Ａに振動が伝わることによりタブ２Ａが振動した場合でも、タブ２Ａがスコア３との重なりがない部分で接触するのみであるから、タブ２Ａとスコア３との接触を防止でき、スコア３の破断等を防止できる。
【００４７】
さらに、タブ２Ａにリベット１３を中心とする時計回り又は反時計回りの力が作用したときに、タブ２Ａと凸部１５との間の摩擦により、タブ２Ａがリベット１３回りに回動することを抑制できる。また、凸部１５が外周カール部２０ａ又は内周カール部２５ａに接触して引っかかることで、タブ２Ａが外周カール部２０ａ又は内周カール部２５ａを乗り越えて回動することを防止できる。したがって、タブ２Ａの先端（押圧部２１）を第１開口部６１に重ねて配置した状態を維持できるので、タブ２Ａの引き上げ部２２を引き上げることで、開口部６を円滑に開口させることができる。
【００４８】
なお、第２実施形態の缶蓋１０２のように、第２開口部６２の開口面積Ｓ２を大きくするには、第２スコア５Ｂの全長を長くする必要があるが、第２スコア５Ｂの全長が長くなり、終端部３９の位置がリベット１３の中心Ｏ１から遠くなる程に、第２スコア５Ｂの位置とタブ２Ａによる第２開口部６２の押圧部分との距離が離れる（遠くなる）ため、第２スコア５Ｂを破断する際に必要な破断力が増加する傾向がある。この点、第２実施形態の缶蓋１０２のように、第２スコア５Ｂの終端部３９を、リベット１３から大きく離さずに曲げて形成することで、タブ２Ａを回動させる際に、第２スコア５Ｂの位置とタブ２Ａによる第２開口部６２の押圧部分との距離を大きく増加させることなく形成できる。したがって、第２スコア５Ｂの開缶作業時において必要な第２スコア５Ｂの破断力を増加させることがなく、タブ２Ａを回動させる際に指に大きな負担がかかることを回避できるので、開口面積Ｓ２の大きな第２開口部６２を確実に開口できる。
【００４９】
また、第２スコア５Ｂの終端部３９を、パネル部１０の周縁部に近くまで形成すると、缶蓋１０２の耐圧強度の低下を招きやすい。そこで、終端部３９の形成位置をリベット１３の周辺領域に留めておくことにより、缶蓋１０２の耐圧強度の低下を回避できる。
さらに、第２実施形態の缶蓋１０２のように、第２スコア５Ｂの形成範囲を、タブ２Ａの背面領域の範囲内に収めることで、第２スコア５Ｂの全長を長くして、第２開口部６２の開口面積Ｓ２を大きく形成した場合であっても、第２開口部６２の開口部分をタブ２Ａの背面に隠すことができるので、外観を損ねることを回避できる。
【００５０】
次に、図９及び図１０に示される本発明の第３実施形態の缶蓋について説明する。
第１実施形態の缶蓋１０１及び第２実施形態の缶蓋１０２では、タブ２Ａにフィンガーホール部２５を形成していたが、図９及び図１０に示す第３実施形態の缶蓋１０３においては、タブ２Ｂの後端部にフィンガーホール部を設けることなく、下方に向けて（缶蓋本体１Ａ及びパネルデボス１２に向けて）突出するタブパネル部２６が形成されている。
タブパネル部２６は、図１０に示すように、タブ本体２０の引き上げ部２２とスロット２３との間に設けられ、下面側に向けて凸となるように凹状に形成されている。また、タブ２Ｂには、第１実施形態及び第２実施形態で用いたタブ２Ａと同様に、タブ本体２０を画成する外周縁が下方に（パネルデボス１２に向けて）折り曲げられるとともに、内周側に折り曲げられてなる外周カール部２０ａが形成されている。
【００５１】
そして、凸部１５は、タブ２Ｂの下面側であって、タブ２Ｂをリベット１３回りに回動させたときに、外周カール部２０ａ又はタブパネル部２６に引っかかる位置、つまり、図１０に示すように、上方に向けて突出する凸部１５が下方に向けて突出する外周カール部２０ａとタブパネル部２６との間に入り込んで形成されており、これら外周カール部２０ａとタブパネル部２６との間に形成されたタブ本体２０の平坦な下面に、凸部１５の頂部が接触した状態で配置されている。
なお、缶蓋本体１Ａは、第１実施形態と同じものであり、図９及び図１０において、第１実施形態と共通する要素には同一符号を付して説明を省略する。
【００５２】
このように、第３実施形態の缶蓋１０３においても、凸部１５がタブ２Ｂに接触した状態で維持されることから、飲料缶の輸送時等の上下振動等に伴ってタブ２Ｂが振動することを抑制でき、タブ２Ｂの振動に起因するスコア３の破断や内容物の漏洩が生じることを防止できる。
また、この缶蓋１０３においても、凸部１５を、第１スコア４と第２スコア５Ａとの接続端点に対してＹ軸を挟んで反対側の領域に形成していることから、凸部１５とタブ２Ｂとの接触により押し下げられるタブ２Ｂの先端部側は、リベット１３を挟んで凸部１５と反対側の範囲であり、スコア３とタブ２Ｂとが接触することがない。したがって、凸部１５を介してタブ２Ｂに振動が伝わることによりタブ２Ｂが振動した場合でも、タブ２Ｂがスコア３との重なりがない部分で接触するのみであるから、タブ２Ａとスコア３との接触を防止でき、スコア３の破断等を防止できる。
【００５３】
また、タブ２Ｂにリベット１３を中心とする時計回り又は反時計回りの力が作用したときに、タブ２Ｂと凸部１５との間の摩擦により、タブ２Ｂがリベット１３回りに回動することを抑制できる。また、凸部１５が外周カール部２０ａ又はタブパネル部２６に接触して引っかかることで、タブ２Ｂが外周カール部２０ａ又はタブパネル部２６を乗り越えて回動することを防止できる。さらに、タブ２Ｂにおいては、凸部１５の頂部にタブパネル部２６が乗り上げた場合にも、凸部１５とタブパネル部２６とが摺動することで、タブ２Ｂのそれ以上の回動を阻止できる。したがって、タブ２Ｂの先端（押圧部２１）を第１開口部６１に重ねて配置した状態を維持できるので、タブ２Ｂの引き上げ部２２を引き上げることで、開口部６を円滑に開口させることができる。
【００５４】
なお、第３実施形態の缶蓋１０３では、タブ２Ｂが取り付けられる缶蓋本体１Ａを、第１実施形態の缶蓋１０１と同じもので構成したが、第２実施形態の缶蓋１０２を構成する缶蓋本体１Ｂとタブ２Ｂとを組み合わせることも可能である。
【００５５】
なお、本発明は前記実施形態の構成に限定されるものではなく、細部構成においては、本発明の趣旨を逸脱しない範囲において種々の変更を加えることが可能である。
例えば、上記実施形態の缶蓋１０１，１０２，１０３では、パネルデボス１２（パネル部１０）から突出する凸部１５を大きく突出させて、タブ２Ａ，２Ｂ（タブ本体２０）の平坦な下面に接触させる構成としていたが、凸部１５とタブ２Ａ，２Ｂとを接触させる構成はこれに限定されない。例えば、タブ２Ａ，２Ｂ側に凸部１５に向けて突出する形状を設けておき、その突出形状部分と凸部１５とを接触させる構成とすることもできる。
【符号の説明】
【００５６】
１Ａ，１Ｂ  缶蓋本体
２Ａ，２Ｂ  タブ
３  スコア
４  第１スコア
５Ａ，５Ｂ  第２スコア
６  開口部
７  補助スコア
１０  パネル部
１１  カウンターシンク部
１２  パネルデボス
１３  リベット
１４  指かけ凹部
１５  凸部
２０  タブ本体
２０ａ  外周カール部
２１  押圧部
２２  引き上げ部
２３  スロット
２４  タング部
２５  フィンガーホール部
２５ａ  内周カール部
２６  タブパネル部
３１  始端部
３２  凹円弧部
３３  中間部
３４  接続部
３８  延伸部
３９  終端部
４１，４２，４３  インナービード
６０ｏ  開口
６１  第１開口部
６１ｏ  第１開口
６２  第２開口部
６２ｏ  第２開口
１０１，１０２，１０３  缶蓋
Ｃ１  第１ヒンジ部
Ｃ２  第２ヒンジ部
【図１】
2018065587.tif 000003
【図２】
2018065587.tif 000004
【図３】
2018065587.tif 000005
【図４】
2018065587.tif 000006
【図５】
2018065587.tif 000007
【図６】
2018065587.tif 000008
【図７】
2018065587.tif 000009
【図８】
2018065587.tif 000010
【図９】
2018065587.tif 000011
【図１０】
2018065587.tif 000012